(57)【要約】【課題】収納庫に収納された貨幣をすべて回収する場合には、前記収納庫から繰り出された貨幣が判別不能のものであっても、回収庫に収納することができるようにして、回収した貨幣を一括して取り出すことができ、貨幣の回収作業を容易に短時間で行うことができるようにする。【解決手段】貨幣を判別する判別部と、前記貨幣を収納する入出金可能な収納庫と、回収された貨幣を収納する回収庫と、判別不能な貨幣を収納するリジェクト庫と、前記収納庫、回収庫及びリジェクト庫に収納された貨幣数をカウントして記憶する制御部１３とを有し、前記収納庫に収納された貨幣を指定された方法で回収する場合、判別不能な貨幣を前記回収庫に収納可能とする。【選択図】図１
2005266876.tif 000002
【特許請求の範囲】
【請求項１】
（ａ）貨幣を判別する判別部と、
（ｂ）前記貨幣を収納する入出金可能な収納庫と、
（ｃ）回収された貨幣を収納する回収庫と、
（ｄ）判別不能な貨幣を収納するリジェクト庫と、
（ｅ）前記収納庫、回収庫及びリジェクト庫に収納された貨幣数をカウントして記憶する制御部とを有し、
（ｆ）前記収納庫に収納された貨幣を指定された方法で回収する場合、判別不能な貨幣を前記回収庫に収納可能とすることを特徴とする貨幣処理装置。
【請求項２】
前記収納庫に収納された貨幣をすべて回収する場合、前記リジェクト庫が空のときは、判別不能な貨幣を前記回収庫に収納し、回収後の前記回収庫に収納された貨幣数を回収前の前記収納庫に収納された貨幣数の総和とする請求項１に記載の貨幣処理装置。
【請求項３】
前記収納庫に収納された貨幣をすべて回収する場合、判別不能な貨幣を前記回収庫に収納するか否かを選択可能とする請求項１に記載の貨幣処理装置。
【請求項４】
前記収納庫に収納された貨幣の一部を回収する場合、判別不能な貨幣を前記リジェクト庫に収納する請求項１〜３のいずれか１項に記載の貨幣処理装置。
【発明の詳細な説明】
【技術分野】
【０００１】
本発明は、貨幣処理装置に関するものである。
【背景技術】
【０００２】
従来、スーパーマーケット、コンビニエンスストア、ディスカウントショップ、ガソリンスタンド等の店舗におけるレジ精算場では、現金による販売で必要となる釣銭準備金を管理するために、ＰＯＳ（Ｐｏｉｎｔ  ｏｆ  Ｓａｌｅｓ）レジスタ等のレジスタ機に釣銭処理装置が取り付けられている（例えば、特許文献１参照。）。
【０００３】
そして、前記釣銭処理装置から紙幣を回収する際には、釣銭処理装置内の各収納部から回収用に配設された回収庫に紙幣を移動した後、前記店舗の係員が回収庫内の紙幣を取り出すことによって、釣銭処理装置内の紙幣を一括して回収するようになっている。また、回収時に釣銭処理装置の判別部によって判別不能と判断された紙幣は、リジェクト庫に収納されるようになっている。
【０００４】
前記従来の釣銭処理装置における紙幣を回収する動作について説明する。
【０００５】
図２は従来の釣銭処理装置における紙幣を回収する場合の動作を示すフローチャートである。
【０００６】
まず、釣銭処理装置において紙幣を取り扱う紙幣部に対するレジスタ機からの回収動作指示を受け付けると、前記釣銭処理装置は千円券収納庫及び五千円券収納庫が空であるか否かを判断する。そして、空である場合には、次の式（１）によって紙幣回収枚数を金種毎に演算して、処理を終了する。
紙幣回収枚数＝回収動作後の回収庫内枚数カウンタ値  ・・・式（１）
なお、回収庫内枚数カウンタ値は回収庫内の紙幣の枚数をカウントした値である。
【０００７】
また、空でない場合には、千円券収納庫及び五千円券収納庫から紙幣を繰り出し、判別部において繰り出された紙幣を判別する。
【０００８】
続いて、該紙幣が判別不能であるか否かが判断され、判別不能でない場合には、前記紙幣は回収庫に収納され、該回収庫のカウンタがカウントアップされる。また、判別不能である場合には、前記紙幣は出金リジェクトとされる。続いて、回収庫が満杯であるか否かが判断される。ここで、回収庫が満杯である場合には、回収動作が一時停止され、回収庫が満杯である旨のアラームが通報される。そして、該アラームが通報されると、前記店舗の係員によって回収庫の紙幣が取り出され、回収庫が空になるのを待機する。また、回収庫が満杯でない場合、及び、回収庫が空になった場合、リジェクト庫が満杯であるか否かが判断される。ここで、リジェクト庫が満杯である場合には、回収動作が一時停止され、リジェクト庫が満杯である旨のアラームが通報される。そして、該アラームが通報されると、前記店舗の係員によってリジェクト庫の紙幣が取り出され、リジェクト庫が空になるのを待機する。
【０００９】
また、リジェクト庫が満杯でない場合、及び、リジェクト庫が空になった場合には、指定枚数の紙幣が回収庫に移動済みであるか否か、又は、千円券収納庫及び五千円券収納庫が空であるか否かが判断される。そして、指定枚数の紙幣が回収庫に移動済みでなく、かつ、千円券収納庫及び五千円券収納庫が空でない場合には、再び、千円券収納庫及び五千円券収納庫から紙幣を繰り出し、前述された動作が繰り返して行われる。また、指定枚数の紙幣が回収庫に移動済みである場合、又は、千円券収納庫及び五千円券収納庫が空である場合には、前記式（１）によって紙幣回収枚数を金種毎に演算して、処理を終了する。
【００１０】
次に、フローチャートについて説明する。
ステップＳ１  レジスタ機からの回収動作指示を受け付ける。
ステップＳ２  千円券収納庫及び五千円券収納庫が空であるか否かを判断する。千円券収納庫及び五千円券収納庫が空である場合はステップＳ１８に進み、千円券収納庫及び五千円券収納庫が空でない場合はステップＳ３に進む。
ステップＳ３  千円券収納庫及び五千円券収納庫から紙幣を繰り出す。
ステップＳ４  判別部において紙幣を判別する。
ステップＳ５  判別不能であるか否かを判断する。判別不能である場合はステップＳ８に進み、判別不能でない場合はステップＳ６に進む。
ステップＳ６  回収庫に収納する。
ステップＳ７  回収庫のカウンタをカウントアップする。
ステップＳ８  出金リジェクトされる。
ステップＳ９  回収庫が満杯であるか否かを判断する。回収庫が満杯である場合はステップＳ１０に進み、回収庫が満杯でない場合はステップＳ１３に進む。
ステップＳ１０  回収動作を一時停止する。
ステップＳ１１  回収庫が満杯である旨のアラームを通報する。
ステップＳ１２  回収庫の紙幣が取り出されて回収庫が空になるのを待機し、回収庫が空になった場合はステップＳ１３に進む。
ステップＳ１３  リジェクト庫が満杯であるか否かを判断する。リジェクト庫が満杯である場合はステップＳ１４に進み、リジェクト庫が満杯でない場合はステップＳ１７に進む。
ステップＳ１４  回収動作を一時停止する。
ステップＳ１５  リジェクト庫が満杯である旨のアラームを通報する。
ステップＳ１６  リジェクト庫の紙幣が取り出されてリジェクト庫が空になるのを待機し、リジェクト庫が空になった場合はステップＳ１７に進む。
ステップＳ１７  指定枚数の紙幣が回収庫に移動済みであるか否か、又は、千円券収納庫及び五千円券収納庫が空であるか否かを判断する。指定枚数の紙幣が回収庫に移動済みである場合、又は、千円券収納庫及び五千円券収納庫が空である場合はステップＳ１８に進み、指定枚数の紙幣が回収庫に移動済みでない、又は、千円券収納庫及び五千円券収納庫が空でない場合はステップＳ３に戻る。
ステップＳ１８  紙幣回収枚数を金種毎に演算して処理を終了する。
【特許文献１】特開平９−１４７１８０号公報
【発明の開示】
【発明が解決しようとする課題】
【００１１】
しかしながら、前記従来の釣銭処理装置においては、回収した紙幣を取り出す際に、店舗の係員は、回収庫内の紙幣だけではなく、リジェクト庫内の紙幣も取り出さなければならなかった。そのため、作業が煩雑になり、時間がかかってしまう。
【００１２】
本発明は、前記従来の問題点を解決して、収納庫に収納された貨幣をすべて回収する場合には、前記収納庫から繰り出された貨幣が判別不能のものであっても、回収庫に収納することができるようにして、回収した貨幣を一括して取り出すことができ、貨幣の回収作業を容易に短時間で行うことができる貨幣処理装置を提供することを目的とする。
【課題を解決するための手段】
【００１３】
そのために、本発明の貨幣処理装置においては、貨幣を判別する判別部と、前記貨幣を収納する入出金可能な収納庫と、回収された貨幣を収納する回収庫と、判別不能な貨幣を収納するリジェクト庫と、前記収納庫、回収庫及びリジェクト庫に収納された貨幣数をカウントして記憶する制御部とを有し、前記収納庫に収納された貨幣を指定された方法で回収する場合、判別不能な貨幣を前記回収庫に収納可能とする。
【００１４】
本発明の他の貨幣処理装置においては、さらに、前記収納庫に収納された貨幣をすべて回収する場合、前記リジェクト庫が空のときは、判別不能な貨幣を前記回収庫に収納し、回収後の前記回収庫に収納された貨幣数を回収前の前記収納庫に収納された貨幣数の総和とする。
【００１５】
本発明の更に他の貨幣処理装置においては、さらに、前記収納庫に収納された貨幣をすべて回収する場合、判別不能な貨幣を前記回収庫に収納するか否かを選択可能とする。
【００１６】
本発明の更に他の貨幣処理装置においては、さらに、前記収納庫に収納された貨幣の一部を回収する場合、判別不能な貨幣を前記リジェクト庫に収納する。
【発明の効果】
【００１７】
本発明によれば、貨幣処理装置は、収納庫に収納された貨幣をすべて回収する場合には、前記収納庫から繰り出された貨幣が判別不能のものであっても、回収庫に収納することができるようになっている。そのため、回収した貨幣を一括して取り出すことができ、貨幣の回収作業を容易に短時間で行うことができる。
【発明を実施するための最良の形態】
【００１８】
以下、本発明の実施の形態について図面を参照しながら詳細に説明する。
【００１９】
図１は本発明の第１の実施の形態における貨幣処理装置のシステム構成を示す図である。
【００２０】
図において、１２は、紙幣釣銭機として機能する紙幣部１４及び硬貨釣銭機として機能する硬貨部１５を有する貨幣処理装置としての釣銭機であり、レジスタ１１に取り付けられている。該レジスタ１１は、店舗におけるレジ精算場に配設され、店舗を訪れた顧客が店舗で販売される商品やサービスを購入して代金の精算を行うと、前記店舗におけるレジ係等の代金精算業務を行う係員が操作して、前記代金を商品やサービスの売上額として入力して合計売上額を集計するとともに、前記代金として顧客から受領した現金を収納するための装置である。
【００２１】
また、前記レジスタ１１は、いわゆるＰＯＳシステムにおけるＰＯＳ端末として機能するＰＯＳレジスタであり、売上額だけでなく、顧客が購入した商品やサービス毎に商品項目等の売上情報も入力される。そして、図示されないホストコンピュータが、レジスタ１１とＬＡＮ（Ｌｏｃａｌ  Ａｒｅａ  Ｎｅｔｗｏｒｋ）等の通信回線網を介して接続され、前記レジスタ１１に売上情報や売上額が入力される度に前記売上情報や売上額を収集し、店舗全体としての売上情報や売上額を集計する。なお、前記レジスタ１１は、ＰＯＳレジスタでなくてもよく、ＰＯＳシステムに組み込まれていない、通常のレジスタ機を前記レジスタ１１として使用することもできる。
【００２２】
さらに、前記店舗は、例えば、コンビニエンスストア、スーパーマーケット、ディスカウントショップ、百貨店等の商店、レストラン、喫茶店等の飲食店、ガソリンスタンド等であるが、商品やサービスを販売する店舗であれば、いかなる種類の店舗であってもよい。そして、前記店舗の顧客がレジ精算場において精算を行う場合、前記店舗の係員が前記レジスタ１１に付属する図示されないバーコード読み取り装置等の入力装置を操作して、顧客が購入した商品等をレジスタ１１に登録すると、図示されない表示装置に顧客が購入した商品やサービスの合計金額が表示される。続いて、前記係員は、表示された合計金額を顧客に伝え、該顧客から現金を受け取る。そして、受け取った現金が正常なものであることを確認した上で、前記現金を顧客から見える箇所に保持させたまま、前記レジスタ１１に受け取った現金の金額、すなわち、受け取り金額を入力する。これにより、前記レジスタ１１は、前記合計金額と入力された受け取り金額とから釣銭額を算出する。ここで、釣銭を要する場合、前記レジスタ１１から前記釣銭機１２に対して出金指示が出され、該釣銭機１２によって釣銭の出金が行われる。そして、前記係員が出金された釣銭を顧客に手渡した時点で該顧客との精算処理が完了し、前記顧客はレジ精算場から立ち去る。また、前記係員は、前記顧客から受け取った現金としての貨幣を紙幣と硬貨とに分別し、前記紙幣部１４及び硬貨部１５に、それぞれ、投入して入金する。そのため、入金される貨幣は、一次確認として前記係員が真偽判定を行ったものとなる。また、前記紙幣部１４及び硬貨部１５に入金された貨幣を回収する場合にも、前記紙幣部１４及び硬貨部１５の在高は確定した状態になっている。
【００２３】
そして、前記釣銭機１２は、ＣＰＵ、ＭＰＵ等の演算手段、半導体メモリ、磁気ディスク等の記憶手段、入出力インターフェイス等を備える制御部１３を有する。該制御部１３は、一種のコンピュータであり、前記レジスタ１１に接続され、該レジスタ１１との間で通信を行うとともに、前記紙幣部１４及び硬貨部１５の動作を含め、釣銭機１２のすべての動作を制御する。また、前記制御部１３には、係員が操作するための図示されない操作表示部が接続されている。該操作表示部は、貨幣を回収したりする際に、係員によって回収指示等を入力するためのキーを含むキーボード、タッチパネル、スイッチ等から成る入力部、ＣＲＴ、液晶ディスプレイ、ＬＥＤ（Ｌｉｇｈｔ  Ｅｍｉｔｔｉｎｇ  Ｄｉｏｄｅ）ディスプレイ等から成る表示部を備える。
【００２４】
次に、前記紙幣部１４の構成を説明する。
【００２５】
図３は本発明の第１の実施の形態における紙幣部の構成を示す図である。
【００２６】
図３に示されるように、紙幣部１４は、顧客から受け取った紙幣を入金する入金口及び釣銭としての紙幣を出金するための出金口として機能する入出金口２１、千円券を収納する入出金可能な収納庫としての千円券収納庫２２、及び、五千円券を収納する入出金可能な収納庫としての五千円券収納庫２３を有する。そして、前記紙幣部１４は、入出金口２１、千円券収納庫２２及び五千円券収納庫２３を接続して紙幣を搬送する搬送路２４を有し、該搬送路２４上に紙幣の金種を判別する判別部２５が配設されている。なお、該判別部２５は紙幣を認識する認識用センサ２５ａを備えている。
【００２７】
また、前記入出金口２１と搬送路２４との接続部分には、フィードローラ及び分離ローラを備える分離部２１ａが配設され、前記入出金口２１にセットされた紙幣を１枚ずつ分離して搬送路２４に繰り出すことができるようになっている。さらに、前記千円券収納庫２２と搬送路２４との接続部分には、フィードローラ及び分離ローラを備える分離部２２ａが配設され、前記千円券収納庫２２の内部に集積された状態で収納された紙幣を１枚ずつ上から分離して搬送路２４に繰り出すことができるようになっている。さらに、前記五千円券収納庫２３と搬送路２４との接続部分には、フィードローラ及び分離ローラを備える分離部２３ａが配設され、前記五千円券収納庫２３の内部に集積された状態で収納された紙幣を１枚ずつ上から分離して搬送路２４に繰り出すことができるようになっている。
【００２８】
そして、前記搬送路２４における前記判別部２５より入出金口２１側には、重送、斜送等の理由によって前記判別部２５により金種を判別することができない紙幣、すなわち、リジェクト判別された紙幣を収納するリジェクト庫２８、及び、紙幣の回収を行う際に回収された紙幣を収納する回収庫２９が接続されている。また、前記搬送路２４の途中には、前記紙幣の搬送方向を切り換えるための切り換え部２６ａ、切り換え部２６ｂ及び切り換え部２７が配設され、さらに、前記紙幣の通過を検出するセンサ２４ａ〜２４ｆが配設されている。なお、前記入出金口２１には紙幣がセットされたことを検出するセンサ２１ｂが配設されている。また、前記千円券収納庫２２、五千円券収納庫２３、回収庫２９及びリジェクト庫２８に収納された紙幣数は、前記制御部１３によってカウントされて記憶される。
【００２９】
次に、前記構成の釣銭機１２の動作について説明する。まず、前記釣銭機１２内の紙幣及び硬貨を回収する際の回収処理の動作について説明する。
【００３０】
図４は本発明の第１の実施の形態における回収された紙幣の収納先を示す表、図５は本発明の第１の実施の形態におけるレジスタの回収処理の動作を示すフローチャート、図６は本発明の第１の実施の形態における釣銭機の回収処理の動作を示すフローチャートである。
【００３１】
まず、店舗の係員は、レジスタ１１を操作して貨幣の回収方法を指定する。なお、該回収方法には、釣銭機１２内の紙幣及び硬貨をすべて回収する全回収と、釣銭機１２内の紙幣及び硬貨の一部を次回の営業における釣銭準備金として所定の金額だけを残して、釣銭機１２内の紙幣及び硬貨を一部回収する残置回収、すなわち、部分回収（金額指定回収、金種及び枚数指定回収、残置金種及び枚数指定回収等）とがある。
【００３２】
ところで、紙幣部１４においては、図４に示されるように、千円券収納庫２２及び五千円券収納庫２３から繰り出された紙幣の中で判別部２５によって金種が判別された紙幣は、全回収の場合も部分回収の場合も、回収庫２９に収納されるようになっている。一方、リジェクト判別された紙幣は、全回収の場合、リジェクト庫２８内に紙幣がないときは回収庫２９に収納され、リジェクト庫２８内に紙幣があるとき及び開閉履歴のあるときはリジェクト庫２８に収納されるようになっている。また、前記リジェクト判別された紙幣は、部分回収の場合、リジェクト庫２８内に紙幣がないとき、リジェクト庫２８内に紙幣があるとき及び開閉履歴のあるときはリジェクト庫２８に収納されるようになっている。
【００３３】
また、リジェクト判別された紙幣を回収庫２９に収納するか否かを選択することができるようにすることもできる。例えば、前記係員が店舗における精算処理を行う権限を有する者である場合には、リジェクト判別された紙幣を回収庫２９に収納するようにして、回収された紙幣を一括して処理することができるようにする。また、前記係員が店舗における精算処理を行う権限を有していない者である場合には、リジェクト判別された紙幣をリジェクト庫２８に収納して、判別された紙幣だけを回収庫２９に収納するようにする。
【００３４】
そして、前記レジスタ１１は、指定された回収方法に基づいて、釣銭機１２に回収指令を送信する。続いて、前記釣銭機１２から回収報告を受け付けると、前記レジスタ１１は、全回収であるか否かを判断する。そして、全回収でない場合、前記レジスタ１１は、次の式（２）によって貨幣回収枚数を金種毎に演算して、処理を終了する。
貨幣回収枚数＝釣銭機から報告された回収枚数＋出金リジェクト枚数  ・・・式（２）
なお、出金リジェクト枚数は、出金処理のときにリジェクトされた貨幣の枚数であり、係員がリジェクト庫２８内の枚数を計数してレジスタ１１より入力した数値となる。
【００３５】
また、全回収である場合、前記レジスタ１１は、出金処理のときにリジェクトされた貨幣及び回収処理のときにリジェクトされた貨幣があるか否か、すなわち、出金／回収リジェクトがあるか否かを判断する。そして、出金／回収リジェクトがない場合、釣銭機１２から報告された回収された紙幣の枚数と出金リジェクト貨幣枚数とを合算して貨幣の回数枚数とし、処理を終了する。また、出金／回収リジェクトがある場合、前記レジスタ１１は、リジェクト貨幣の取り出しを係員に指示する。続いて、釣銭機１２からリジェクト抜き取り報告を受け付けると、出金リジェクト貨幣枚数の入力を係員に指示する。そして、前記レジスタ１１は、出金リジェクト貨幣枚数が入力されるのを待機し、係員が出金リジェクト貨幣枚数を入力すると、前記式（２）によって貨幣回収枚数を金種毎に演算して、処理を終了する。
【００３６】
一方、前記釣銭機１２の制御部１３は、レジスタ１１から回収指令を受け付けると、硬貨部１５に回収動作を指示し、続いて、紙幣部１４に回収動作を指示する。そして、前記制御部１３は、紙幣の回収が終了するのを待機し、また、硬貨の回収が終了するのを待機して、紙幣の回収が終了し、硬貨の回収が終了すると、前記レジスタ１１に回収完了を報告する。
【００３７】
続いて、前記制御部１３は全回収であるか否かを判断する。そして、全回収でない場合、前記制御部１３は処理を終了する。また、全回収である場合、前記制御部１３は、係員がリジェクト貨幣の取り出しを行うリジェクト抜き取りが済むのを待機する。そして、リジェクト抜き取りが済むと、前記制御部１３は、前記レジスタ１１にリジェクト抜き取りを報告して処理を終了する。
【００３８】
次に、図５のフローチャートについて説明する。
ステップＳ２１  回収方法を指定する。
ステップＳ２２  釣銭機１２に回収指令を送信する。
ステップＳ２３  釣銭機１２から回収報告を受け付ける。
ステップＳ２４  全回収であるか否かを判断する。全回収である場合はステップＳ２５に進み、全回収でない場合はステップＳ３１に進む。
ステップＳ２５  出金／回収リジェクトがあるか否かを判断する。出金／回収リジェクトがある場合はステップＳ２６に進み、出金／回収リジェクトがない場合はステップＳ３１に進む。
ステップＳ２６  リジェクト貨幣の取り出しを係員に指示する。
ステップＳ２７  釣銭機１２からのリジェクト抜き取り報告を受け付ける。
ステップＳ２８  出金リジェクト貨幣枚数の入力を係員に指示する。
ステップＳ２９  出金リジェクト貨幣枚数を係員が入力するのを待機し、出金リジェクト貨幣枚数を係員が入力した場合はステップＳ３０に進む。
ステップＳ３０  貨幣回数枚数を金種毎に演算して処理を終了する。
ステップＳ３１  貨幣回数枚数を金種毎に演算して処理を終了する。
【００３９】
次に、図６のフローチャートについて説明する。
ステップＳ３２  レジスタ１１から回収指令を受け付ける。
ステップＳ３３  硬貨部１５に回収動作を指示する。
ステップＳ３４  紙幣部１４に回収動作を指示する。
ステップＳ３５  紙幣の回収が終了するのを待機し、紙幣の回収が終了した場合はステップＳ３６に進む。
ステップＳ３６  硬貨の回収が終了するのを待機し、硬貨の回収が終了した場合はステップＳ３７に進む。
ステップＳ３７  レジスタ１１に回収完了を報告する。
ステップＳ３８  全回収であるか否かを判断する。全回収である場合はステップＳ３９に進み、全回収でない場合は処理を終了する。
ステップＳ３９  リジェクト抜き取りが済むのを待機し、リジェクト抜き取りが済んだ場合はステップＳ４０に進む。
ステップＳ４０  レジスタ１１にリジェクト抜き取りを報告して処理を終了する。
【００４０】
次に、前記紙幣部１４の回収処理の動作について説明する。なお、前記硬貨部１５の動作については説明を省略する。
【００４１】
図７は本発明の第１の実施の形態における紙幣部の回収処理の動作を示す第１のフローチャート、図８は本発明の第１の実施の形態における紙幣部の回収処理の動作を示す第２のフローチャートである。
【００４２】
まず、紙幣部１４は、制御部１３から回収動作指示を受け付けると、千円券収納庫２２及び五千円券収納庫２３が空であるか否かを判断する。そして、空である場合には、次の式（３）によって、紙幣回収枚数を金種毎に演算し、演算結果をレジスタ１１に通知する紙幣の回収枚数として処理を終了する。
紙幣回収枚数＝回収動作前の回収庫内枚数カウンタ値＋
回収動作前の千円券収納庫及び五千円券収納庫カウンタ値の総和  ・・・式（３）
なお、回収庫内枚数カウンタ値は回収庫２９内の紙幣の枚数をカウントした値、千円券収納庫カウンタ値は千円券収納庫２２内の紙幣の枚数をカウントした値、五千円券収納庫カウンタ値は五千円券収納庫２３内の紙幣の枚数をカウントした値である。
【００４３】
続いて、前記紙幣部１４は、全回収であるか否かを判断し、全回収である場合にはリジェクト庫２８が空であるか否かを判断する。そして、空である場合には、千円券収納庫２２及び五千円券収納庫２３から紙幣を繰り出し、判別部２５において繰り出された紙幣の金種を判別する。そして、判別不能でない場合には前記紙幣を回収庫２９に収納し、該回収庫２９のカウンタをカウントアップする。また、判別不能である場合には、回収リジェクト回数のカウンタをカウントアップして前記紙幣を回収庫２９に収納する。
【００４４】
続いて、前記紙幣部１４は、回収庫２９が満杯であるか否かを判断する。そして、満杯である場合、回収動作を一時停止して回収庫２９が満杯である旨のアラームを通報する。そして、該アラームを通報すると、前記店舗の係員によって回収庫２９の紙幣が取り出され、回収庫２９が空になるのを待機する。また、回収庫２９が満杯でない場合、及び、回収庫２９が空になった場合、前記紙幣部１４は、リジェクト庫２８が満杯であるか否かを判断する。ここで、リジェクト庫２８が満杯である場合には、回収動作を一時停止してリジェクト庫２８が満杯である旨のアラームを通報する。そして、該アラームを通報すると、前記店舗の係員によってリジェクト庫２８の紙幣が取り出され、リジェクト庫２８が空になるのを待機する。
【００４５】
また、リジェクト庫２８が満杯でない場合、及び、リジェクト庫２８が空になった場合、前記紙幣部１４は、千円券収納庫２２及び五千円券収納庫２３が空であるか否かを判断する。そして、千円券収納庫２２及び五千円券収納庫２３が空でない場合には、再び、千円券収納庫２２及び五千円券収納庫２３から紙幣を繰り出し、前述された動作を、千円券収納庫２２及び五千円券収納庫２３内の紙幣がなくなるまで繰り返し行う。そして、千円券収納庫２２及び五千円券収納庫２３が空になると、前記紙幣部１４は、前記式（３）によって紙幣回収枚数を金種毎に演算し、演算結果をレジスタ１１に通知する紙幣の回収枚数として処理を終了する。
【００４６】
一方、全回収であるか否かを判断して全回収でない場合、及び、リジェクト庫２８が空であるか否かを判断して空でない場合、前記紙幣部１４は、千円券収納庫２２及び五千円券収納庫２３が空であるか否かを判断する。そして、空である場合には、次の式（４）によって紙幣回収枚数を金種毎に演算し、演算結果をレジスタ１１に通知する紙幣の回収枚数として処理を終了する。
紙幣回収枚数＝回収動作後の回収庫内枚数カウンタ値  ・・・式（４）
なお、回収庫内枚数カウンタ値は回収庫内の紙幣の枚数をカウントした値である。
【００４７】
また、空でない場合、前記紙幣部１４は、千円券収納庫２２及び五千円券収納庫２３から紙幣を繰り出し、判別部２５において繰り出された紙幣を判別する。
【００４８】
続いて、前記紙幣部１４は、紙幣が判別不能であるか否かを判断し、判別不能でない場合には紙幣を回収庫２９に収納し、該回収庫２９のカウンタをカウントアップする。また、判別不能である場合には、出金リジェクトとし、回収リジェクト回数のカウンタをカウントアップさせた後、前記紙幣をリジェクト庫２８に収納する。続いて、前記紙幣部１４は、回収庫２９が満杯であるか否かを判断する。ここで、回収庫２９が満杯である場合には、回収動作を一時停止して回収庫２９が満杯である旨のアラームを通報する。そして、該アラームを通報すると、前記店舗の係員によって回収庫２９の紙幣が取り出され、回収庫２９が空になるのを待機する。
【００４９】
また、回収庫２９が満杯でない場合、及び、回収庫２９が空になった場合、前記紙幣部１４は、リジェクト庫２８が満杯であるか否かを判断する。ここで、リジェクト庫２８が満杯である場合には、回収動作を一時停止してリジェクト庫２８が満杯である旨のアラームを通報する。そして、該アラームを通報すると、前記店舗の係員によってリジェクト庫の紙幣が取り出され、リジェクト庫２８が空になるのを待機する。
【００５０】
また、リジェクト庫２８が満杯でない場合、及び、リジェクト庫２８が空になった場合、前記紙幣部１４は、指定枚数の紙幣が回収庫２９に移動済みであるか否か、又は、千円券収納庫２２及び五千円券収納庫２３が空であるか否かを判断する。そして、指定枚数の紙幣が回収庫２９に移動済みでなく、かつ、千円券収納庫２２及び五千円券収納庫２３が空でない場合、前記紙幣部１４は、再び、千円券収納庫２２及び五千円券収納庫２３から紙幣を繰り出し、前述された動作が繰り返して行う。また、指定枚数の紙幣が回収庫２９に移動済みである場合、又は、千円券収納庫２２及び五千円券収納庫２３が空である場合、前記紙幣部１４は、前記式（４）によって紙幣回収枚数を金種毎に演算し、演算結果をレジスタ１１に通知する紙幣の回収枚数として処理を終了する。
【００５１】
次に、フローチャートについて説明する。
ステップＳ４１  制御部１３からの回収動作指示を受け付ける。
ステップＳ４２  千円券収納庫２２及び五千円券収納庫２３が空であるか否かを判断する。千円券収納庫２２及び五千円券収納庫２３が空である場合はステップＳ６０に進み、千円券収納庫２２及び五千円券収納庫２３が空でない場合はステップＳ４３に進む。
ステップＳ４３  全回収であるか否かを判断する。全回収である場合はステップＳ４４に進み、全回収でない場合はステップＳ６１に進む。
ステップＳ４４  リジェクト庫２８が空であるか否かを判断する。リジェクト庫２８が空である場合はステップＳ４５に進み、リジェクト庫２８が空でない場合はステップＳ６１に進む。
ステップＳ４５  千円券収納庫２２及び五千円券収納庫２３から紙幣を繰り出す。
ステップＳ４６  判別部２５において紙幣を判別する。
ステップＳ４７  判別不能であるか否かを判断する。判別不能である場合はステップＳ５０に進み、判別不能でない場合はステップＳ４８に進む。
ステップＳ４８  回収庫２９に収納する。
ステップＳ４９  回収庫２９のカウンタをカウントアップする。
ステップＳ５０  回収リジェクト回数のカウンタをカウントアップして回収庫２９に収納する。
ステップＳ５１  回収庫２９が満杯であるか否かを判断する。回収庫２９が満杯である場合はステップＳ５２に進み、回収庫２９が満杯でない場合はステップＳ５５に進む。
ステップＳ５２  回収動作を一時停止する。
ステップＳ５３  回収庫２９が満杯である旨のアラームを通報する。
ステップＳ５４  回収庫２９の紙幣が取り出されて回収庫２９が空になるのを待機し、回収庫２９が空になった場合はステップＳ５５に進む。
ステップＳ５５  リジェクト庫２８が満杯であるか否かを判断する。リジェクト庫２８が満杯である場合はステップＳ５６に進み、リジェクト庫２８が満杯でない場合はステップＳ５９に進む。
ステップＳ５６  回収動作を一時停止する。
ステップＳ５７  リジェクト庫２８が満杯である旨のアラームを通報する。
ステップＳ５８  リジェクト庫２８の紙幣が取り出されてリジェクト庫２８が空になるのを待機し、リジェクト庫２８が空になった場合はステップＳ５９に進む。
ステップＳ５９  千円券収納庫２２及び五千円券収納庫２３が空であるか否かを判断する。千円券収納庫２２及び五千円券収納庫２３が空である場合はステップＳ６０に進み、千円券収納庫２２及び五千円券収納庫２３が空でない場合はステップＳ４５に戻る。
ステップＳ６０  紙幣回収枚数を金種毎に演算して処理を終了する。
ステップＳ６１  千円券収納庫２２及び五千円券収納庫２３が空であるか否かを判断する。千円券収納庫２２及び五千円券収納庫２３が空である場合はステップＳ７７に進み、千円券収納庫２２及び五千円券収納庫２３が空でない場合はステップＳ６２に進む。
ステップＳ６２  千円券収納庫２２及び五千円券収納庫２３から紙幣を繰り出す。
ステップＳ６３  判別部２５において紙幣を判別する。
ステップＳ６４  判別不能であるか否かを判断する。判別不能である場合はステップＳ６７に進み、判別不能でない場合はステップＳ６５に進む。
ステップＳ６５  回収庫２９に収納する。
ステップＳ６６  回収庫２９のカウンタをカウントアップする。
ステップＳ６７  出金リジェクトされる。
ステップＳ６８  回収庫２９が満杯であるか否かを判断する。回収庫２９が満杯である場合はステップＳ６９に進み、回収庫２９が満杯でない場合はステップＳ７２に進む。
ステップＳ６９  回収動作を一時停止する。
ステップＳ７０  回収庫２９が満杯である旨のアラームを通報する。
ステップＳ７１  回収庫２９の紙幣が取り出されて回収庫２９が空になるのを待機し、回収庫２９が空になった場合はステップＳ７２に進む。
ステップＳ７２  リジェクト庫２８が満杯であるか否かを判断する。リジェクト庫２８が満杯である場合はステップＳ７３に進み、リジェクト庫２８が満杯でない場合はステップＳ７６に進む。
ステップＳ７３  回収動作を一時停止する。
ステップＳ７４  リジェクト庫２８が満杯である旨のアラームを通報する。
ステップＳ７５  リジェクト庫２８の紙幣が取り出されてリジェクト庫２８が空になるのを待機し、リジェクト庫２８が空になった場合はステップＳ７６に進む。
ステップＳ７６  指定枚数の紙幣が回収庫２９に移動済みであるか否か、又は、千円券収納庫２２及び五千円券収納庫２３が空であるか否かを判断する。指定枚数の紙幣が回収庫２９に移動済みである、又は、千円券収納庫２２及び五千円券収納庫２３が空である場合はステップＳ７７に進み、指定枚数の紙幣が回収庫２９に移動済みでない、又は、千円券収納庫２２及び五千円券収納庫２３が空でない場合はステップＳ６２に戻る。
ステップＳ７７  紙幣回収枚数を金種毎に演算して処理を終了する。
【００５２】
このように、本実施の形態においては、全回収の場合にリジェクト庫２８内に紙幣がないときは、判別不能な紙幣をリジェクト庫２８に収納せずに、金種が判別された紙幣と同様に回収庫２９に収納するようになっている。そのため、回収された紙幣を取り出す際に、回収庫２９の紙幣を取り出すことによって取り出しを一括して行うことができるので、リジェクト庫２８内の紙幣を別に取り出す手間が不要になる。
【００５３】
なお、釣銭機１２においては、千円券収納庫２２及び五千円券収納庫２３の在高が確定しているので、全回収の場合に判別不能な紙幣をリジェクト庫２８に収納せずに、金種が判別された紙幣と同様に回収庫２９に収納しても、問題が生じることがない。
【００５４】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５５】
本実施の形態においては、釣銭機１２の構成については、前記第１の実施の形態と同様であるので説明を省略する。また、レジスタ１１の回収処理の動作及び釣銭機１２全体の回収処理の動作についても、前記第１の実施の形態と同様であるので説明を省略し、本実施の形態における紙幣部１４の回収処理の動作について説明する。
【００５６】
図９は本発明の第２の実施の形態における紙幣部の回収処理の動作を示すフローチャートである。
【００５７】
まず、紙幣部１４は、制御部１３から回収動作指示を受け付けると、千円券収納庫２２及び五千円券収納庫２３が空であるか否かを判断する。そして、空である場合には、前記式（３）によって、紙幣回収枚数を金種毎に演算し、演算結果をレジスタ１１に通知する紙幣の回収枚数として処理を終了する。
【００５８】
続いて、前記紙幣部１４は、全回収であるか否かを判断する。なお、全回収でない場合は、前記第１の実施の形態と同様に、回収の際に判別不能な紙幣はリジェクト庫２８に収納するようになっている。この場合の動作は、前記第１の実施の形態と同様であるので、説明を省略する。
【００５９】
そして、全回収であるか否かを判断して、全回収である場合、前記紙幣部１４は、リジェクト庫２８が空であるか否かを判断する。ここで、空でない場合の動作は、前記第１の実施の形態と同様であるので、説明を省略する。
【００６０】
また、リジェクト庫２８が空である場合、前記紙幣部１４は、回収動作の際に再計数が必要か否かを判断する。全回収の指示であっても、以前に千円券収納庫２２又は五千円券収納庫２３が開閉された履歴がある場合や、ジャムが発生した履歴がある場合等のように、千円券収納庫２２及び五千円券収納庫２３の在高が確定していない場合には、回収動作の際に再計数が必要になる。そして、再計数が必要な場合、全回収でない場合と同様に、回収の際に判別不能な紙幣はリジェクト庫２８に収納するようになっている。また、再計数する必要がない場合は、回収時の判別不能な紙幣は回収庫２９に収納する。なお、再計数が必要な場合の動作は、前述された全回収でない場合及びリジェクト庫２８が空でない場合と同様であり、前記第１の実施の形態と同様であるので、説明を省略する。
【００６１】
一方、再計数が必要でない場合、前記紙幣部１４は、千円券収納庫２２及び五千円券収納庫２３から紙幣を繰り出し、判別部２５において繰り出された紙幣の金種を判別する。なお、これ以降の動作については、前記第１の実施の形態と同様であるので、説明を省略する。
【００６２】
次に、フローチャートについて説明する。
ステップＳ８１  制御部１３からの回収動作指示を受け付ける。
ステップＳ８２  千円券収納庫２２及び五千円券収納庫２３が空であるか否かを判断する。千円券収納庫２２及び五千円券収納庫２３が空である場合はステップＳ８３に進み、千円券収納庫２２及び五千円券収納庫２３が空でない場合はステップＳ１０１に進む。
ステップＳ８３  全回収であるか否かを判断する。全回収である場合はステップＳ８４に進み、全回収でない場合は図７におけるステップＳ６１に戻る。
ステップＳ８４  リジェクト庫２８が空であるか否かを判断する。リジェクト庫２８が空である場合はステップＳ８５に進み、リジェクト庫２８が空でない場合は図７におけるステップＳ６１に戻る。
ステップＳ８５  回収動作の際に再計数が必要か否かを判断する。再計数が必要でない場合はステップＳ８６に進み、再計数が必要な場合は図７におけるステップＳ６１に戻る。
ステップＳ８６  千円券収納庫２２及び五千円券収納庫２３から紙幣を繰り出す。
ステップＳ８７  判別部２５において紙幣を判別する。
ステップＳ８８  判別不能であるか否かを判断する。判別不能である場合はステップＳ９１に進み、判別不能でない場合はステップＳ８９に進む。
ステップＳ８９  回収庫２９に収納する。
ステップＳ９０  回収庫２９のカウンタをカウントアップする。
ステップＳ９１  回収リジェクト回数のカウンタをカウントアップして回収庫２９に収納する。
ステップＳ９２  回収庫２９が満杯であるか否かを判断する。回収庫２９が満杯である場合はステップＳ９３に進み、回収庫２９が満杯でない場合はステップＳ９６に進む。
ステップＳ９３  回収動作を一時停止する。
ステップＳ９４  回収庫２９が満杯である旨のアラームを通報する。
ステップＳ９５  回収庫２９の紙幣が取り出されて回収庫２９が空になるのを待機し、回収庫２９が空になった場合はステップＳ９６に進む。
ステップＳ９６  リジェクト庫２８が満杯であるか否かを判断する。リジェクト庫２８が満杯である場合はステップＳ９７に進み、リジェクト庫２８が満杯でない場合はステップＳ１００に進む。
ステップＳ９７  回収動作を一時停止する。
ステップＳ９８  リジェクト庫２８が満杯である旨のアラームを通報する。
ステップＳ９９  リジェクト庫２８の紙幣が取り出されてリジェクト庫２８が空になるのを待機し、リジェクト庫２８が空になった場合はステップＳ１００に進む。
ステップＳ１００  千円券収納庫２２及び五千円券収納庫２３が空であるか否かを判断する。千円券収納庫２２及び五千円券収納庫２３が空である場合はステップＳ１０１に進み、千円券収納庫２２及び五千円券収納庫２３が空でない場合はステップＳ８６に戻る。
ステップＳ１０１  紙幣回収枚数を金種毎に演算して処理を終了する。
【００６３】
このように、本実施の形態においては、全回収であり、かつ、千円券収納庫２２又は五千円券収納庫２３の在高が不確定の状態である場合に、回収動作の際に再計数を行い、判別不能な紙幣をリジェクト庫２８に収納するようになっているので、回収する紙幣の枚数を確定させることができる。
【００６４】
なお、前記第１及び第２の実施の形態においては、釣銭機１２に指令を出す上位装置がレジスタ１１である場合について説明したが、コンピュータ等の他の制御機器が釣銭機１２の上位装置であってもよい。さらに、前記釣銭機１２は、上位装置がない場合であっても、単独の貨幣処理装置として貨幣の回収動作を行うことができる。
【００６５】
また、本発明は前記実施の形態に限定されるものではなく、本発明の趣旨に基づいて種々変形させることが可能であり、それらを本発明の範囲から排除するものではない。
【図面の簡単な説明】
【００６６】
【図１】本発明の第１の実施の形態における貨幣処理装置のシステム構成を示す図である。
【図２】従来の釣銭処理装置における紙幣を回収する場合の動作を示すフローチャートである。
【図３】本発明の第１の実施の形態における紙幣部の構成を示す図である。
【図４】本発明の第１の実施の形態における回収された紙幣の収納先を示す表である。
【図５】本発明の第１の実施の形態におけるレジスタの回収処理の動作を示すフローチャートである。
【図６】本発明の第１の実施の形態における釣銭機の回収処理の動作を示すフローチャートである。
【図７】本発明の第１の実施の形態における紙幣部の回収処理の動作を示す第１のフローチャートである。
【図８】本発明の第１の実施の形態における紙幣部の回収処理の動作を示す第２のフローチャートである。
【図９】本発明の第２の実施の形態における紙幣部の回収処理の動作を示すフローチャートである。
【符号の説明】
【００６７】
１２    釣銭機
１３    制御部
２２    千円券収納庫
２３    五千円券収納庫
２５    判別部
２８    リジェクト庫
２９    回収庫
【図１】
2005266876.tif 000003
【図２】
2005266876.tif 000004
【図３】
2005266876.tif 000005
【図４】
2005266876.tif 000006
【図５】
2005266876.tif 000007
【図６】
2005266876.tif 000008
【図７】
2005266876.tif 000009
【図８】
2005266876.tif 000010
【図９】
2005266876.tif 000011